(57)【要約】  【課題】  入スイッチ及び切スイッチの２つのスイッチのみで、複数の機器から一の機器を選択し、選択した機器の入切を制御することができる制御装置を提供する。  【解決手段】  制御部８は、カウンタ８１を備えている。カウンタ８１は、機器２０、２０、…の中で、何れの機器を選択しているかを示す。制御部８は、運転スイッチ２又は停止スイッチ３が操作された場合に、カウンタ８１で選択した機器の運転状態に応じて、カウンタ８１に１を加算する。例えば、カウンタ８１で、機器番号１の機器が選択されている場合に、運転スイッチ２が操作されたときは、制御部８は、記憶部７に記憶した機器番号１の運転状態を読み出し、読み出した運転状態が「運転」であるため、カウンタ８１に１を加算して、次の機器を選択する。【選択図】      図１
2006164850.tif 000002
【特許請求の範囲】
【請求項１】
複数の機器の入状態（又は切状態）を切操作（又は入操作）により切状態（又は入状態）に制御する制御装置において、
入操作用の入スイッチと、
切操作用の切スイッチと、
前記入スイッチ及び切スイッチの操作を検出する検出手段と、
前記複数の機器から一の機器を選択する選択手段と、
各機器が入状態又は切状態のいずれであるかを記憶する記憶手段と
を備え、
前記選択手段は、
選択した機器が入状態（又は切状態）である場合に前記検出手段が入スイッチ（又は切スイッチ）の操作を検出したときに、他の機器を選択するようにしてあることを特徴とする制御装置。
【請求項２】
前記選択手段は、
前記検出手段が入スイッチの操作及び切スイッチの操作を同時に検出した場合に、前記入スイッチ及び切スイッチが同時に操作されている間に、他の機器を順次選択するようにしてあることを特徴とする請求項１に記載の制御装置。
【請求項３】
前記選択手段が選択した機器を識別する識別手段を備えたことを特徴とする請求項１又は請求項２に記載の制御装置。
【請求項４】
前記選択手段が選択した機器の入状態又は切状態を表示する表示手段を備えたことを特徴とする請求項１乃至請求項３のいずれかに記載の制御装置。
【請求項５】
前記選択手段が選択した機器の入又は切を制御するか否かを切り換える切換手段を備えたことを特徴とする請求項１乃至請求項４のいずれかに記載の制御装置。
【請求項６】
前記機器への通電状態又は停電状態を取得する取得手段を備え、
前記取得手段が停電後の通電状態を取得した場合に、前記記憶手段に記憶した入状態又は切状態に応じて前記機器の入又は切を行うようにしてあることを特徴とする請求項１乃至請求項５のいずれかに記載の制御装置。
【請求項７】
停電後の経過時間を計時する計時手段と、
該計時手段が計時した時間が許容時間内である否かを判定する判定手段と
を備え、
前記取得手段が停電後の通電状態を取得した場合に、前記計時した時間が許容時間内であるときには、前記記憶手段に記憶した入状態又は切状態に応じて前記機器の入又は切を行うようにしてあることを特徴とする請求項６に記載の制御装置。
【発明の詳細な説明】
【技術分野】
【０００１】
本発明は、複数の機器の入切を制御する制御装置に関する。
【背景技術】
【０００２】
電動機、電源装置、空調機器などの産業用機器の運転若しくは停止の制御、又は照明機器の点灯若しくは消灯の制御は、運転用又は点灯用のスイッチと、停止用又は消灯用のスイッチとを機器の設置数だけ設けた制御盤などにより行われている。
【０００３】
このような制御盤は、制御盤のパネル面に制御対象の機器毎に設けられた複数の操作用スイッチと、前記機器を制御するための制御信号を出力するための制御部とを備え、操作用スイッチと制御部との間には、ケーブルを配線してある。
【０００４】
また、ファンの制御装置には、運転スイッチ及び停止スイッチを短時間に特定のパターンで数回オン・オフを繰り返す操作をした場合に、ジャンプ周波数の設定命令であると解釈して、ファンの回転数が共振周波数と一致することにより生ずる騒音、振動を防止するためのジャンプ周波数を設定するものが提案されている（特許文献１参照）。
【特許文献１】特開平８−２４７０８７号公報
【発明の開示】
【発明が解決しようとする課題】
【０００５】
しかしながら、従来の例にあっては、制御する機器の数が増加した場合は、操作用スイッチの数が増加するのみならず、操作用スイッチに接続するケーブルの数も増大する。このため、操作用スイッチを備えた制御盤が大型化し、制御盤の設置面積が増大するという問題があった。また、ケーブルの数に応じて配線作業も増加し、コスト高になるという問題もあった。
【０００６】
また、特許文献１の例にあっては、ファンの回転数を制御するものであり、複数の機器の運転又は停止を制御するためには、機器の数に応じた操作用スイッチが必要であった。
【０００７】
本発明は斯かる事情に鑑みてなされたものであり、複数の機器から一の機器を選択する選択手段は、選択した機器が入状態（又は切状態）である場合において入スイッチ（又は切スイッチ）の操作を検出したときに、他の機器を選択するようにしてあることにより、入スイッチ及び切スイッチの２つのスイッチのみで、複数の機器から一の機器を選択して、選択した機器の入切を制御することができる制御装置を提供することを目的とする。
【０００８】
また、本発明の他の目的は、前記入スイッチ及び切スイッチを同時に操作することにより、複数の機器から一の機器を順次選択することができる制御装置を提供することにある。
【０００９】
また、本発明の他の目的は、選択した機器を識別する識別手段を備えることにより、選択した機器を容易に識別することができる制御装置を提供することにある。
【００１０】
また、本発明の他の目的は、選択した機器の入切状態を表示する表示手段を備えることにより、選択した機器の動作状態を容易に判別することができる制御装置を提供することにある。
【００１１】
また、本発明の他の目的は、選択した機器の入切を制御するか否かを切り換える切換手段を備えることにより、機器の入切を手元又は遠方で切り換えることができる制御装置を提供することにある。
【００１２】
また、本発明の他の目的は、停電後の復電時に、前記記憶手段に記憶した入又は切状態に応じて前記機器の入又は切を行うようにしてあることにより、利便性が向上した制御装置を提供することにある。
【００１３】
また、本発明の他の目的は、停電後の復電時に、停電時間が許容時間内である場合には、前記記憶手段に記憶した入又は切状態に応じて前記機器の入又は切を行うようにしてあることにより、利便性が向上した制御装置を提供することにある。
【課題を解決するための手段】
【００１４】
第１発明に係る制御装置は、複数の機器の入状態（又は切状態）を切操作（又は入操作）により切状態（又は入状態）に制御する制御装置において、入操作用の入スイッチと、切操作用の切スイッチと、前記入スイッチ及び切スイッチの操作を検出する検出手段と、前記複数の機器から一の機器を選択する選択手段と、各機器が入状態又は切状態のいずれであるかを記憶する記憶手段とを備え、前記選択手段は、選択した機器が入状態（又は切状態）である場合に前記検出手段が入スイッチ（又は切スイッチ）の操作を検出したときに、他の機器を選択するようにしてあることを特徴とする。
【００１５】
第２発明に係る制御装置は、第１発明において、前記選択手段は、前記検出手段が入スイッチの操作及び切スイッチの操作を同時に検出した場合に、前記入スイッチ及び切スイッチが同時に操作されている間に、他の機器を順次選択するようにしてあることを特徴とする。
【００１６】
第３発明に係る制御装置は、第１発明又は第２発明において、前記選択手段が選択した機器を識別する識別手段を備えたことを特徴とする。
【００１７】
第４発明に係る制御装置は、第１発明乃至第３発明のいずれかにおいて、前記選択手段が選択した機器の入状態又は切状態を表示する表示手段を備えたことを特徴とする。
【００１８】
第５発明に係る制御装置は、第１発明乃至第４発明のいずれかにおいて、前記選択手段が選択した機器の入又は切を制御するか否かを切り換える切換手段を備えたことを特徴とする。
【００１９】
第６発明に係る制御装置は、第１発明乃至第５発明のいずれかにおいて、前記機器への通電状態又は停電状態を取得する取得手段を備え、前記取得手段が停電後の通電状態を取得した場合に、前記記憶手段に記憶した入状態又は切状態に応じて前記機器の入又は切を行うようにしてあることを特徴とする。
【００２０】
第７発明に係る制御装置は、第６発明において、停電後の経過時間を計時する計時手段と、該計時手段が計時した時間が許容時間内である否かを判定する判定手段とを備え、前記取得手段が停電後の通電状態を取得した場合に、前記計時した時間が許容時間内であるときには、前記記憶手段に記憶した入状態又は切状態に応じて前記機器の入又は切を行うようにしてあることを特徴とする。
【００２１】
第１発明にあっては、記憶手段は、複数の機器夫々が入状態（運転状態、点灯状態）又は切状態（停止状態、消灯状態）のいずれであるかを記憶している。複数の機器の中から一の機器を選択する選択手段は、選択された機器が入状態（又は切状態）である場合に入スイッチ（又は切スイッチ）の操作を検出したときに、他の機器を選択する。これにより、前記入スイッチ又は切スイッチを操作することにより、前記選択手段は、複数の機器の中から一の機器を選択する。また、選択された機器が入状態（又は切状態）である場合に切スイッチ（又は入スイッチ）の操作を検出したときは、前記機器は切状態（又は入状態）になる。
【００２２】
第２発明にあっては、前記選択手段は、選択された機器が入状態（又は切状態）である場合に入スイッチ（又は切スイッチ）が操作され、かつ切スイッチ（又は入スイッチ）が同時に操作されている間に、他の機器を順次選択する。これにより、入スイッチと切スイッチとが同時に操作されている間、前記選択手段は、複数の機器の中から機器を順次選択する。
【００２３】
第３発明にあっては、識別手段は、前記選択手段が選択した機器を識別する。これにより、複数の機器の中から前記選択手段で選択した機器を識別する。
【００２４】
第４発明にあっては、表示手段は、前記選択手段が選択した機器の入切状態を表示する。
【００２５】
第５発明にあっては、切換手段は、前記選択手段が選択した機器の入切を制御するか否かを切り換える。例えば、前記切換手段が手元に切り換えられた場合には、前記機器の入切を行い、前記切換手段が遠方に切り換えられた場合には、前記機器の入切を行わない。
【００２６】
第６発明にあっては、停電後の復電時に、前記記憶手段に記憶した各機器の入切状態に応じて前記機器の入又は切を行う。
【００２７】
第７発明にあっては、計時手段は、停電時に停電の経過時間を計時する。停電後の復電時に、前記計時手段が計時した経過時間が許容時間内である場合は、前記記憶手段に記憶した各機器の入切状態に応じて前記機器の入又は切を行う。前記計時手段が計時した経過時間が許容時間を越えた場合は、前記機器の入又は切を行わない。
【発明の効果】
【００２８】
第１発明にあっては、入スイッチと切スイッチの２つのスイッチに、複数の機器から一の機器を選択する機能と、選択した機器の入切を行なう機能とを設けることにより、従来に比較して、小型化することができるとともに、ケーブルを大幅に省略することができ、コストを削減することができる。
【００２９】
第２発明にあっては、入スイッチと切スイッチとを同時に操作することにより、複数の機器の中から順次機器を選択することができ、所要の機器を短時間で選択することができる。
【００３０】
第３発明にあっては、選択した機器を識別する識別手段を備えることにより、入スイッチ又は切スイッチを操作した場合に、複数の機器の中からいずれの機器を選択したかを容易に識別することができる。
【００３１】
第４発明にあっては、選択した機器の入切状態を表示する表示手段を備えることにより、機器の選択と、選択した機器の入切とを容易にすることができる。
【００３２】
第５発明にあっては、選択した機器の入切を制御するか否かを切り換える切換手段を備えることにより、機器の入切を手元又は遠方で切り換えることができ、利便性が向上する。
【００３３】
第６発明にあっては、前記記憶手段に記憶した状態に応じて前記機器の入又は切を行うようにしてあることにより、停電後の復電時に元の状態に復帰させるための操作が不要となり、利便性を向上させることができる。
【００３４】
第７発明にあっては、停電後の復電時に、停電時間が許容時間内である場合には、前記記憶手段に記憶した状態に応じて前記機器の入又は切を行うようにしてあることにより、停電時間の長短に応じて元の状態に復帰させることができ、利便性を向上させることができる。
【発明を実施するための最良の形態】
【００３５】
以下、本発明をその実施の形態を示す図面に基づいて説明する。図１は本発明に係る制御装置１の構成を示すブロック図である。制御装置１には、複数の機器２０、２０、…を接続してあり、制御装置１は、複数の機器２０、２０、…夫々の運転（点灯）又は停止（消灯）を行う。
【００３６】
図において、７は記憶部である。記憶部７は、制御装置１に接続してある機器２０、２０、…の機器番号と、電動機、電源装置、空調機器、照明機器などの機器の種類と、運転又は停止を示す運転状態と、手元制御又は遠方制御を示す制御状態とを、機器毎に関連付けて記憶している。例えば、機器番号が１の機器２０は、電源装置であり、運転状態にあり、手元で制御される。
【００３７】
制御部８はＣＰＵ、ＲＡＭ、制御部８の外部からの信号又は外部への信号を入出力する入出力ポートなどにより構成され、ＲＡＭにプログラムが読み込まれることにより、前記プログラムをＣＰＵで実行することにより所要の処理を行うことができる。制御部８には、運転操作用の運転スイッチ２、停止操作用の停止スイッチ３、機器２０、２０、…の制御を手元又は遠方のいずれで行うかを切り換える切換スイッチ４、非常時に機器２０、２０、…のすべてを緊急停止するための非常停止スイッチ５を接続してある。
【００３８】
制御部８は、カウンタ８１を備えている。カウンタ８１は、機器２０、２０、…の中で、何れの機器を選択しているかを示す。制御部８は、運転スイッチ２又は停止スイッチ３が操作（スイッチを押す動作）された場合に、カウンタ８１で選択した機器の運転状態に応じて、カウンタ８１に１を加算する。また、加算を繰り返すことにより、制御装置１に接続された機器の数に到達した場合は、初期値（例えば、１）に戻るように構成してある。
【００３９】
例えば、カウンタ８１で、機器番号１の機器が選択されている場合に、運転スイッチ２が操作されたときは、制御部８は、記憶部７に記憶した機器番号１の運転状態を読み出し、読み出した運転状態が「運転」であるため、カウンタ８１に１を加算する。
【００４０】
また、カウンタ８１で、機器番号１の機器が選択されている場合に、停止スイッチ３が操作されたときは、制御部８は、記憶部７に記憶した機器番号１の運転状態を読み出し、読み出した運転状態が「運転」であるため、機器番号１の機器に対して、運転信号１の出力を停止する。
【００４１】
また、カウンタ８１で、機器番号１の機器が選択されている場合に、運転スイッチ２が操作され、かつ停止スイッチ２が操作されたときは、制御部８は、記憶部７に記憶した機器番号１の運転状態を読み出し、読み出した運転状態が「運転」であるため、運転スイッチ２と停止スイッチ３とが同時に操作されている間、カウンタ８１に１を繰り返し加算する。
【００４２】
また、カウンタ８１で、機器番号２の機器が選択されている場合に、運転スイッチ２が操作されたときは、制御部８は、記憶部７に記憶した機器番号２の運転状態を読み出し、読み出した運転状態が「停止」であるため、機器番号２の機器に対して、運転信号２を出力する。
【００４３】
また、カウンタ８１で、機器番号２の機器が選択されている場合に、停止スイッチ３が操作されたときは、制御部８は、記憶部７に記憶した機器番号２の運転状態を読み出し、読み出した運転状態が「停止」であるため、カウンタ８１に１を加算する。
【００４４】
また、カウンタ８１で、機器番号２の機器が選択されている場合に、停止スイッチ３が操作され、かつ運転スイッチ２が操作されたときは、制御部８は、記憶部７に記憶した機器番号２の運転状態を読み出し、読み出した運転状態が「停止」であるため、停止スイッチ３と運転スイッチ２とが同時に操作されている間、カウンタ８１に１を繰り返し加算する。
【００４５】
制御部８は、切換スイッチ４により、制御状態が遠方に切り換えられている場合には、運転信号１、２、…の出力を制御部８に内蔵した遮断回路により遮断し、機器の運転又は停止の制御を行わない。また、切換スイッチ４により、制御状態が手元に切り換えられている場合には、機器の運転又は停止の制御を行う。  
【００４６】
制御部８は、機器２０、２０、…に供給される電源が停電した場合に、図示しない電源監視装置などから停電検出信号を受け取るとともに、停電後に復電した場合に、復電検出信号を受け取る。制御部８は、復電検出信号を受け取った場合、停電時の状態に復帰させるため、各機器２０、２０、…対して、記憶部７に記憶してある機器の種類に応じて、運転信号を出力する。例えば、機器の種類が照明機器の場合である。
【００４７】
また、制御部８は、後述するタイマー１２で計時した停電の経過時間と所定の許容時間とを比較し、経過時間が許容時間より短い場合には、復電検出信号を受け取ったときに、停電時の状態に復帰させるため、各機器２０、２０、…対して、記憶部７に記憶してある機器の種類に応じて、運転信号を出力する。例えば、機器の種類が非常用バッテリーで駆動する電源装置の場合である。なお、照明機器及び電源装置を除く、電動機、空調機器、生産用機器、試験用機器などの産業機器の場合には、停電時の状態に拘わらず、停電時の状態に復帰させる動作は行わず、停電復帰後に手動で運転開始操作を行う。
【００４８】
タイマー１２は、機器２０、２０、…に供給される電源が停電した場合に、停電検出信号を受け取り停電の経過時間を計時する。また、停電後に復電した場合に、復電検出信号を受け取り経過時間の計時を停止する。
【００４９】
出力部１１は、制御部８から出力される運転信号１、２、…を所要の電圧レベルに増幅し、各機器２０、２０、…へ出力する。
【００５０】
表示器９は、カウンタ８１で選択された機器番号を表示する。なお、表示器９は、液晶表示のものであってもよく、機械式に表示面が回転するものであってもよい。
【００５１】
表示灯１０は、例えば、発光ダイオードが用いられ、選択された機器２０が運転中であることを示す運転ランプ１０ｂ、選択された機器２０が停止中であることを示す停止ランプ１０ｃ、切換スイッチ４により機器が手元で制御されることを示す手元ランプ１０ｅ、機器が遠方で制御されることを示す遠方ランプ１０ｄ、故障を示す故障ランプ１０ａを備えている。
【００５２】
各機器２０、２０、…は、故障が生じた場合に、故障信号１、２、…を制御部８へ出力する。例えば、一の機器２０で故障が生じた場合には、故障信号が制御部８へ出力され、制御部８は、前記機器２０の運転信号の出力を停止する。これにより前記機器２０を確実に停止する。
【００５３】
図２は制御装置１の表示面から見た正面図であり、図３は制御装置１の側面図である。図に示すように、表示板１４の上部中央に表示器９を配置し、表示器９の下側に故障ランプ１０ａを配置してある。表示板１４の中央部には、矩形状の運転スイッチ２と停止スイッチ３とが併置してある。運転スイッチ２及び停止スイッチ３夫々の一の角部には、運転ランプ１０ｂ、停止ランプ１０ｃを設けてある。
【００５４】
運転スイッチ２及び停止スイッチ３の下側には、遠方ランプ１０ｄ、手元ランプ１０ｅを配置してあり、表示板１４の下側中央部には切換スイッチ４を配置し、表示板１４の下側角部には非常停止スイッチ５を設けてある。
【００５５】
表示板１４の裏側四隅には、固定棒１６、１６、…を設けてあり、表示器９、各ランプ１０ａ、１０ｂ、…、運転スイッチ２、停止スイッチ３などを一面に搭載した矩形状の基板１３の四隅に設けられた挿通孔に固定棒１６、１６、…を挿通して、前記一面を表示板１４に対向して基板１３を固定してある。基板１３の他面（裏側）には、制御部８、記憶部７などを実装してある。
【００５６】
矩形状のカバー１５は、四隅に固定棒１６、１６、…を挿通する挿通孔を設けてあり、前記挿通孔に固定棒１６、１６、…を挿通して、カバー１５を、基板１３を挟んで表示板１４と対向して固定してある。これにより、カバー１５で基板１３を覆っている。固定棒１６、１６、…の端部には、ねじ部を設けてあり、該ねじ部には、締め付けナット１７、１７、…を螺合してある。
【００５７】
図４は運転スイッチ２又は停止スイッチ３を操作した場合の制御装置の動作を示す説明図である。図において、運転・停止状態は、カウンタ８１で選択された機器２０の運転状態を示す。
【００５８】
時刻ｔ１１において、運転スイッチ２を操作した場合、制御部８は、機器の運転状態が「運転」であることから、カウント信号を生成して、カウンタ８１に１を加算する。これにより、カウンタ８１で選択される機器は、機器番号が１だけ加算された機器番号の機器となる。時刻ｔ１１で運転スイッチ２を操作した場合であっても、前記機器は運転状態であるため、運転信号は出力されたままである。
【００５９】
時刻ｔ１２において、停止スイッチ３を操作した場合、制御部８は、機器の運転状態が「運転」であることから、運転信号の出力を停止する。この場合には、カウント信号は生成されず、カウンタ８１は元のままである。
【００６０】
時刻ｔ１３において、停止スイッチ３を操作した場合、制御部８は、機器の運転状態が「停止」であることから、カウント信号を生成して、カウンタ８１に１を加算する。これにより、カウンタ８１で選択される機器は、機器番号が１だけ加算された機器番号の機器となる。時刻ｔ１３で停止スイッチ３を操作した場合であっても、前記機器は停止状態であるため、運転信号は出力されない。
【００６１】
時刻ｔ１４において、運転スイッチ２を操作した場合、制御部８は、機器の運転状態が「停止」であることから、運転信号を出力する。この場合には、カウント信号は生成されず、カウンタ８１は元のままである。
【００６２】
図５は運転スイッチ２及び停止スイッチ３を同時に操作した場合の制御装置の動作を示す説明図である。図において、運転・停止状態は、カウンタ８１で選択された機器２０の運転状態を示す。
【００６３】
時刻ｔ２１において、運転スイッチ２を操作した場合、制御部８は、機器の運転状態が「運転」であることから、カウント信号を生成して、カウンタ８１に１を加算する。運転スイッチ２を操作した後に、時刻ｔ２２で停止スイッチ３を操作し、時刻ｔ２２で運転スイッチ２及び停止スイッチ３を同時に操作した時から、時刻ｔ２３で停止スイッチ３の操作を止めた時までの間、制御部８は繰り返しカウント信号を出力し、カウンタ８１は１を繰り返し加算する。これにより、カウンタ８１で選択される機器を順次表示器９に表示し（早送りで表示）、複数の機器の中から所要の機器を短時間に選択することができる。時刻ｔ２４で運転スイッチ２の操作を止めた場合、制御部８は、次の操作を受付けることができる。
【００６４】
時刻ｔ２５において、停止スイッチ３を操作した場合、制御部８は、機器の運転状態が「停止」であることから、カウント信号を生成して、カウンタ８１に１を加算する。停止スイッチ３を操作した後に、時刻ｔ２６で運転スイッチ２を操作し、時刻ｔ２６で停止スイッチ３及び運転スイッチ２を同時に操作した時から、時刻ｔ２７で運転スイッチ２の操作を止めた時までの間、制御部８は繰り返しカウント信号を出力し、カウンタ８１は１を繰り返し加算する。これにより、カウンタ８１で選択される機器を順次表示器９に表示し（早送りで表示）、複数の機器の中から所要の機器を短時間に選択することができる。時刻ｔ２７で停止スイッチ３の操作を止めた場合、制御部８は、次の操作を受付けることができる。
【００６５】
図６は機器が運転状態における制御装置の処理手順を示すフローチャートである。制御部８は停止スイッチ３が操作されたか否かを判定する（Ｓ１０）。停止スイッチ３が操作された場合（Ｓ１０でＹＥＳ）、制御部８は、表示器９が表示した機器の運転信号を停止し（Ｓ１１）、停止ランプ１０ｃを点灯し（Ｓ１２）、処理を終了する。
【００６６】
ステップＳ１０で、停止スイッチ３が操作されていない場合（Ｓ１０でＮＯ）、制御部８は、運転スイッチ２が操作されたか否かを判定し（Ｓ１３）、運転スイッチ２が操作されていない場合は（Ｓ１３でＮＯ）、ステップＳ１０以降の処理を続ける。
【００６７】
ステップＳ１３で、運転スイッチ２が操作された場合（Ｓ１３でＹＥＳ）、制御部８は、運転スイッチ２が操作されたままで停止スイッチ３が操作されたか否かを判定する（Ｓ１４）。運転スイッチ２が操作されたままで停止スイッチ３が操作されない場合は（Ｓ１４でＮＯ）、カウンタ８１に１を加算し（Ｓ１５）、ステップＳ１８以降の処理を続ける。
【００６８】
ステップＳ１４で、運転スイッチ２が操作されたままで停止スイッチ３が操作された場合は（Ｓ１４でＹＥＳ）、カウンタ８１に１を加算し（Ｓ１６）、停止スイッチ３の操作が終了したか否かを判定する（Ｓ１７）。停止スイッチ３の操作が終了していない場合は（Ｓ１７でＮＯ）、ステップＳ１６以降の処理を続けカウンタ８１に１を加算する。これにより、停止スイッチ３の操作を終了するまで、カウンタ８１の加算処理が繰り返される。
【００６９】
ステップＳ１７で、停止スイッチ３の操作が終了した場合は（Ｓ１７でＹＥＳ）、カウンタ８１で選択された機器の番号を表示器９に表示する（Ｓ１８）。制御部８は、選択された機器の運転状態を記憶部７から取得し（Ｓ１９）、機器の運転状態を判定する（Ｓ２０）。
【００７０】
機器の運転状態が「運転」である場合は（Ｓ２０で運転）、運転ランプ１０ｂを点灯し（Ｓ２１）、処理を終了する。一方、機器の運転状態が「停止」である場合は（Ｓ２０で停止）、停止ランプ１０ｃを点灯し（Ｓ２２）、処理を終了する。
【００７１】
図７は機器が停止状態における制御装置の処理手順を示すフローチャートである。制御部８は運転スイッチ２が操作されたか否かを判定する（Ｓ３０）。運転スイッチ２が操作された場合（Ｓ３０でＹＥＳ）、制御部８は、表示器９が表示した機器の運転信号を出力し（Ｓ３１）、運転ランプ１０ｂを点灯し（Ｓ３２）、処理を終了する。
【００７２】
ステップＳ３０で、運転スイッチ２が操作されていない場合（Ｓ３０でＮＯ）、制御部８は、停止スイッチ３が操作されたか否かを判定し（Ｓ３３）、停止スイッチ３が操作されていない場合は（Ｓ３３でＮＯ）、ステップＳ３０以降の処理を続ける。
【００７３】
ステップＳ３３で、停止スイッチ３が操作された場合（Ｓ３３でＹＥＳ）、制御部８は、停止スイッチ３が操作されたままで運転スイッチ２が操作されたか否かを判定する（Ｓ３４）。停止スイッチ３が操作されたままで運転スイッチ２が操作されない場合は（Ｓ３４でＮＯ）、カウンタ８１に１を加算し（Ｓ３５）、ステップＳ３８以降の処理を続ける。
【００７４】
ステップＳ３４で、停止スイッチ３が操作されたままで運転スイッチ２が操作された場合は（Ｓ３４でＹＥＳ）、カウンタ８１に１を加算し（Ｓ３６）、運転スイッチ２の操作が終了したか否かを判定する（Ｓ３７）。運転スイッチ２の操作が終了していない場合は（Ｓ３７でＮＯ）、ステップＳ３６以降の処理を続けカウンタ８１に１を加算する。これにより、運転スイッチ２の操作を終了するまで、カウンタ８１の加算処理が繰り返される。
【００７５】
ステップＳ３７で、運転スイッチ２の操作が終了した場合は（Ｓ３７でＹＥＳ）、カウンタ８１で選択された機器の番号を表示器９に表示する（Ｓ３８）。制御部８は、選択された機器の運転状態を記憶部７から取得し（Ｓ３９）、機器の運転状態を判定する（Ｓ４０）。
【００７６】
機器の運転状態が「運転」である場合は（Ｓ４０で運転）、運転ランプ１０ｂを点灯して（Ｓ４１）、処理を終了する。一方、機器の運転状態が「停止」である場合は（Ｓ４０で停止）、停止ランプ１０ｃを点灯し（Ｓ４２）、処理を終了する。
【００７７】
図８は切換スイッチ４を操作した場合の制御装置の処理手順を示すフローチャートである。制御部８は切換スイッチ４が操作されたか否かを判定し（Ｓ５０）、切換スイッチが操作されていない場合は（Ｓ５０でＮＯ）、ステップＳ５０の処理を続ける。
【００７８】
切換スイッチが操作された場合は（Ｓ５０でＹＥＳ）、制御部８は、表示器９が表示した機器の制御状態を記憶部７から取得して、制御状態を判定する（Ｓ５１）。制御状態が「遠方」である場合は（Ｓ５１で遠方）、制御部８は、制御状態を「手元」に切り換え（Ｓ５２）、手元ランプ１０ｅを点灯して（Ｓ５３）、処理を終了する。
【００７９】
ステップＳ５１で、制御状態が「手元」である場合は（Ｓ５１で手元）、制御部８は、制御状態を「遠方」に切り換え（Ｓ５４）、遠方ランプ１０ｄを点灯して（Ｓ５５）、処理を終了する。
【００８０】
図９は停電後の復電時の制御装置の処理手順を示すフローチャートである。停電が発生し（Ｓ６０）、タイマー１２は、停電経過時間を計時する（Ｓ６１）。制御部８は、復電したか否かを判定し（Ｓ６２）、復電していない場合は（Ｓ６２でＮＯ）、ステップＳ６１以降の処理を続ける。
【００８１】
復電した場合は（Ｓ６２でＹＥＳ）、制御部８は、記憶部７に記憶した機器の種類を判定する（Ｓ６３）。機器が照明機器である場合は（Ｓ６３で照明機器）、制御部８は、停電前の照明機器の運転状態を取得し（Ｓ６４）、元の運転状態に応じて、照明機器の運転信号を出力し（Ｓ６５）、処理を終了する。
【００８２】
機器が電源装置である場合は（Ｓ６３で電源装置）、制御部８は、停電経過時間が許容時間を越えているか否かを判定し（Ｓ６６）、停電経過時間が許容時間を越えている場合は（Ｓ６６でＹＥＳ）、処理を終了する。
【００８３】
一方、停電経過時間が許容時間を越えていない場合は（Ｓ６６でＮＯ）、制御部８は、停電前の電源装置の運転状態を取得し（Ｓ６７）、元の運転状態に応じて、電源装置の運転信号を出力し（Ｓ６８）、処理を終了する。これにより、瞬時停電又は短時間の停電が発生した場合に、非常用バッテリーを備えた電源装置が、停電中のみならず、復電後も継続して運転動作を続けることができる。
【００８４】
以上説明したように、本発明にあっては、運転スイッチ２と停止スイッチ３の２つのスイッチのみで、複数の機器２０、２０、…の中から任意の機器２０を選択することができるとともに、選択した機器の運転及び停止を行うことができ、従来のように、機器毎に運転スイッチと停止スイッチとを設ける必要がない。また、機器が増設された場合であっても、追加の操作用のスイッチを取り付ける必要がなく、増設分の機器を制御装置１に接続することにより、容易に機器の増設にも対応することが可能である。
【００８５】
また、運転スイッチ２と停止スイッチ３とを同時に操作することにより、複数の機器の中から早送りで任意の機器を選択することができ、所要の機器を短時間に選択できる。
【００８６】
また、選択された機器を識別する表示器９、選択された機器の運転状態を示す表示灯１０を備えることにより、選択された機器を容易に識別できるとともに、機器の運転状態を容易に把握することができ、操作性が向上する。
【００８７】
また、選択された機器を手元で制御するか遠方にある他の制御装置で制御するかを切り換える切換スイッチ４を設けることにより、手元又は遠方のいずれにおいても機器を制御することができ、利便性が向上する。
【００８８】
また、停電後の復電時に、停電前の機器の運転状態に応じて、機器の運転、停止を制御することができ、機器を元の状態に復帰させるための操作が不要になり、利便性が向上する。さらに、停電時間を計時して、停電時間が許容時間内である場合には、停電前の機器の運転状態に応じて、機器の運転、又は停止を制御することができ、機器を元の状態に復帰させるための操作が不要になり、利便性が向上する。
【００８９】
上述の実施の形態においては、制御装置１は、矩形状の表示板１４に操作用のスイッチを設ける構成であったが、外観の構造は、これに限定されるものではない。また、運転又は停止の表示は、これに限定されるものではなく、入又は切、オン又はオフなどであってもよい。
【００９０】
上述の実施の形態において、制御装置１で制御される機器は、特に限定されるものではなく、電動機、電源装置、照明機器、空調機器、生産用機器、試験用機器など産業で一般に使用される機器であれば、いずれの機器であってもよい。
【００９１】
上述の実施の形態においては、制御部８は、ＣＰＵ、ＲＡＭなどにより構成されていたが、これに限定されるものではなく、所要の制御を行う回路を組み込んだ構成であってもよい。
【図面の簡単な説明】
【００９２】
【図１】本発明に係る制御装置の構成を示すブロック図である。
【図２】制御装置の表示面から見た正面図である。
【図３】制御装置の側面図である。
【図４】運転スイッチ又は停止スイッチを操作した場合の制御装置の動作を示す説明図である。
【図５】運転スイッチ及び停止スイッチを同時に操作した場合の制御装置の動作を示す説明図である。
【図６】機器が運転状態における制御装置の処理手順を示すフローチャートである。
【図７】機器が停止状態における制御装置の処理手順を示すフローチャートである。
【図８】切換スイッチを操作した場合の制御装置の処理手順を示すフローチャートである。
【図９】停電後の復電時の制御装置の処理手順を示すフローチャートである。
【符号の説明】
【００９３】
１  制御装置
２  運転スイッチ
３  停止スイッチ
４  切換スイッチ
７  記憶部
８  制御部
９  表示器
１０  表示灯
１１  出力部
１２  タイマー
２０  機器
８１  カウンタ
【図１】
2006164850.tif 000003
【図２】
2006164850.tif 000004
【図３】
2006164850.tif 000005
【図４】
2006164850.tif 000006
【図５】
2006164850.tif 000007
【図６】
2006164850.tif 000008
【図７】
2006164850.tif 000009
【図８】
2006164850.tif 000010
【図９】
2006164850.tif 000011